(57)【特許請求の範囲】
【請求項１】
昇降具の段差部に施設され、昇降時の滑り止めをする滑り止めマットであって、
前記段差部の上面及び縁側の側面を覆うように配置される上面部及び側部を有する本体部と、
前記本体部の縁部に積層され、前記本体部の上面の少なくとも一部及び縁側の側面の少なくも一部を覆うように配置されるコーナー部と、
前記コーナー部を補強し、前記本体部の側部を側面及び底面から押さえ、上端部が前記コーナー部の側面に食い込むように配置される補強部材とを備え、
前記本体部は、前記コーナー部よりも弾力性を有する材料により形成され、
前記補強部材は、その側部の両端近傍に、前記段差部の縁側の側面に対して固定される固定部を有すること、
を特徴とする滑り止めマット。
【請求項２】
請求項１に記載の滑り止めマットにおいて、
前記コーナー部は、前記本体部よりも耐摩耗性を有すること、
を特徴とする滑り止めマット。
【請求項３】
請求項１又は請求項２に記載の滑り止めマットにおいて、
前記本体部は、透水性を有する材質により形成されること、
を特徴とする滑り止めマット。
【請求項４】
請求項１から請求項３までのいずれか１項に記載の滑り止めマットにおいて、
前記本体部は、衝撃による騒音発生を抑制する材質により形成されること、
を特徴とする滑り止めマット。
【請求項５】
請求項１から請求項４までのいずれか１項に記載の滑り止めマットにおいて、
前記本体部の前記段差部の上面からの浮き上がりを防止する浮き上がり防止部材を備えること、
を特徴とする滑り止めマット。
【請求項６】
請求項１から請求項５までのいずれか１項に記載の滑り止めマットにおいて、
前記昇降具は、その傾斜方向と鉛直方向とのなす角が３０°以内であること、
を特徴とする滑り止めマット。
【請求項７】
階段又は梯子の段差部に施設され、前記段差部の上面及び縁側の側面を覆うように配置される上面部及び側部を有する本体部と、前記本体部の縁部に積層され、前記本体部の上面の少なくとも一部及び縁側の側面の少なくも一部を覆うように配置されるコーナー部とを有し、前記本体部が、前記コーナー部よりも弾力性を有する材料により形成されるマットに取り付けられ、
前記コーナー部を補強し、前記本体部の側部を側面及び底面から押さえ、上端部が前記コーナー部の側面に食い込むように配置され、前記マットの側部の両端近傍を、前記段差部の縁側の側面に固定するマットの補強部材。
【請求項８】
請求項１から請求項６までのいずれか１項に記載の滑り止めマットを備える昇降具。
【発明の詳細な説明】
【技術分野】
【０００１】
本発明は、段差部の滑り止めをする滑り止めマット、マットの補強部材及び昇降具に関するものである。
【背景技術】
【０００２】
従来、階段等に施設され、昇降時の滑り防止をする階段用滑り防止マットがあった（例えば特許文献１）
しかし、傾斜が急な階段を昇降するとき等は、利用者が階段のコーナー部分に靴や足を引っ掛けて昇降する場合があり、このような場合、従来の滑り防止マットは、十分な滑り防止効果を発揮できなかった。また、従来の滑り防止マットは、コーナー部分に力が加えられると、コーナー部分の強度が十分ではないために、大きく変形してしまう場合があった。
【特許文献１】実公平７−３５０１８号公報
【発明の開示】
【発明が解決しようとする課題】
【０００３】
本発明の課題は、傾斜が急な段差部の滑り止めに適した滑り止めマット、マットの補強部材及び昇降具を提供することである。
【課題を解決するための手段】
【０００４】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００５】
請求項１の発明は、昇降具（４０）の段差部（４２）に施設され、昇降時の滑り止めをする滑り止めマットであって、前記段差部の上面（４２ｂ）及び縁側の側面（４２ａ）を覆うように配置される上面部及び側部を有する本体部（１０）と、前記本体部の縁部（１３）に積層され、前記本体部の上面（１２）の少なくとも一部及び縁側の側面の少なくも一部を覆うように配置されるコーナー部（２０）と、前記コーナー部を補強し、前記本体部（１０）の側部を側面及び底面から押さえ、上端部が前記コーナー部（２０）の側面に食い込むように配置される補強部材（３０）とを備え、前記本体部は、前記コーナー部よりも弾力性を有する材料により形成され、前記補強部材（３０）は、その側部の両端近傍に、前記段差部（４２）の縁側の側面に対して固定される固定部（３２ａ，３２ｂ）を有すること、を特徴とする滑り止めマットである。
請求項２の発明は、請求項１に記載の滑り止めマットにおいて、前記コーナー部（２０）は、前記本体部（１０）よりも耐摩耗性を有すること、を特徴とする滑り止めマットである。
請求項３の発明は、請求項１又は請求項２に記載の滑り止めマットにおいて、前記本体部（１０）は、透水性を有する材質により形成されること、を特徴とする滑り止めマットである。
請求項４の発明は、請求項１から請求項３までのいずれか１項に記載の滑り止めマットにおいて、前記本体部（１０）は、衝撃による騒音発生を抑制する材質により形成されること、を特徴とする滑り止めマットである。
請求項５の発明は、請求項１から請求項４までのいずれか１項に記載の滑り止めマットにおいて、前記本体部（１０）の前記段差部（４２）の上面（４２ｂ）からの浮き上がりを防止する浮き上がり防止部材（３５）を備えること、を特徴とする滑り止めマットである。
請求項６の発明は、請求項１から請求項５までのいずれか１項に記載の滑り止めマットにおいて、前記昇降具（４０）は、その傾斜方向（Ａ）と鉛直方向（Ｚ）とのなす角が３０°以内であること、を特徴とする滑り止めマットである。
【０００６】
請求項７の発明は、階段又は梯子（４０）の段差部（４２）に施設され、前記段差部（４２）の上面（４２ｂ）及び縁側の側面（４２ａ）を覆うように配置される上面部及び側部を有する本体部（１０）と、前記本体部の縁部（１３）に積層され、前記本体部の上面（１２）の少なくとも一部及び縁側の側面の少なくも一部を覆うように配置されるコーナー部（２０）と有し、前記本体部が、前記コーナー部よりも弾力性を有する材料により形成されるマット（１）に取り付けられ、前記コーナー部（２０）を補強し、前記本体部（１０）の側部を側面及び底面から押さえ、上端部が前記コーナー部（２０）の側面に食い込むように配置され、前記マットの側部の両端近傍を、前記段差部（４２）の縁側の側面に固定するマットの補強部材である。
【０００７】
請求項８の発明は、請求項１から請求項６までのいずれか１項に記載の滑り止めマットを備える昇降具（４０）である。
【発明の効果】
【０００８】
本発明によれば、以下の効果を奏することができる。
（１）本発明は、コーナー部を補強する補強部材を備えるので、コーナー部に力が加えられることによる生ずるコーナー部の変形を抑制することができる。
（２）本発明は、コーナー部を側面及び底面から補強するので、コーナー部が鉛直方向及び水平方向に変形して、たわむことを抑制することができる。また、例えば、補強部材の断面形状をＬ型にした場合には、補強部材の強度を向上させるとともに、コーナー部の変形抑制効果を向上することができる。
【０００９】
（３）本発明は、補強部材の側部の両端近傍が段差部に固定されるので、補強部材が両端支持のはりの形態となり、中央部に力が加えられた場合のコーナー部の変形を抑制することができる。
（４）本発明は、昇降時に磨耗されやすいコーナー部が耐摩耗性を有するので、耐久性を向上することができる。
【００１０】
（５）本発明は、本体部が透水性を有する材質により形成されるので、屋外やプール等の水がかかる場所に設置しても、表面に水が溜まることがなく、滑り止め効果を発揮することができる。
（６）本発明は、本体部が騒音発生を抑制する材質により形成されるので、昇降時に本体部に衝撃が加えられても、騒音発生を抑制することができ、また、コーナー部に衝撃が加えられたときにも、その衝撃を本体部が吸収して、騒音発生を抑制することができる。
【００１１】
（７）本発明は、浮き上がり防止部材を備えるので、昇降時にコーナー部に力が加わり回転モーメントが働いても、本体部が段差部から浮き上がることを防止することができる。
（８）本発明は、昇降具の傾斜方向と鉛直方向とのなす角が３０°以内であるので、傾斜角度な急な昇降具に施設して、滑り止め防止効果を発揮することができる。
【発明を実施するための最良の形態】
【００１２】
本発明は、傾斜が急な段差部の滑り止めに適した滑り止めマット、マットの補強部材及び昇降具を提供するという目的を、梯子の段差部の上面を覆うように配置される本体部と、本体部の縁部に形成され、段差部の縁側の側面を覆うように配置されるコーナー部と、コーナー部を補強する補強部材とを備えることによって実現した。
【００１３】
（実施形態）
以下、図面等を参照して、本発明の実施形態について説明する。なお、以下に示す各図には、説明と理解を容易にするために、ＸＹＺ直交座標系を設けた。この座標系では、鉛直方向を矢印Ｚ方向、奥行方向（水平方向）を矢印Ｙ方向、左右方向を矢印Ｘ方向とする。
【００１４】
図１は、本実施形態の滑り止めマット１を示す図面であり、図１（ａ）は、平面図（上面図）、図１（ｂ）は、正面図（図１（ａ）に示す矢印Ｙ１方向から見た図）である。
図２は、本実施形態の滑り止めマット１を示す側面図（図１（ｂ）に示す矢印Ｘ１方向から見た図）である。
滑り止めマット１は、本体部１０と、コーナー部２０と、補強部材３０と、浮き上がり防止部材３５とを備えている。
【００１５】
本体部１０は、例えば、ＥＰＤＭゴム（エチレンプロピレンゴム）チップと天然ゴムチップとを混成した材料等により形成され、防滑性を有する。コーナー部２０は、合成ゴム等により形成され、耐磨耗性を有する。
本体部１０とコーナー部２０とは、例えば、各材料を金型にセットした状態で、加熱及び圧縮されることにより一体成形される。このように成形することにより、本体部１０は、ゴムチップ間に複数の間隙を有し、透水性及び弾力性を有するように形成される。一方、コーナー部２０は、隙間がない固形状であって、本体部１０よりも硬度を有するように形成される。
【００１６】
図２に示すように、本体部１０は、断面形状がＬ字形であり、梯子４０の段差部４２の上面４２ｂ（図４参照）のほぼ全面を覆うように配置される。本体部１０は、底面１１がフラットであり、段差部４２の上面４２ｂに密着するように施設される。また、本体部１０は、上面１２が、奥行方向奥側（矢印Ｙ１方向）に至る程、鉛直方向下側に傾斜しており、利用者が、昇降時に奥行方向手前側（矢印Ｙ２方向）に滑りにくい形状になっている。
本体部１０は、弾力性を有するので、昇降時に靴等によって衝撃が加えられても、騒音発生を抑制することができる。
また、本体部１０が透水性を有するので、滑り止めマット１は、屋外やプール等の水がかかる場所に設置されても、表面に水が溜まることがなく、滑り止め効果を発揮することができる。
【００１７】
コーナー部２０は、本体部１０の縁部１３に設けられており、本体部１０の上面１２の一部及び奥行方向手前側（縁側）の側面の一部を覆うように形成される。コーナー部２０は、本体部１０の上側に積層された上部２１と、本体部１０の側面に積層された側部２２とから形成される。上部２１には、滑り止め効果を向上するために、表面に規則的に凹凸が形成されている。
【００１８】
コーナー部２０は、本体部１０よりも耐摩耗性を有する。つまり、本体部１０は、チップ同士が融合して形成されるのでチップの剥れやすさを有するのに対し、コーナー部２０は、固形状であるので本体部１０よりも耐摩耗性を有し、滑り止めマット１全体の耐久性を向上することができる。
【００１９】
後述するようにコーナー部２０は、昇降時に本体部１０よりも多用される。このため、滑り止めマット１は、コーナー部２０が耐磨耗性に優れた材料により形成され、一方、昇降時にあまり利用されない本体部１０の耐磨耗性の条件が緩和されている。これにより、本体部１０の材料選択の幅を、コーナー部２０よりも広げることができ、前述したように、透水性及び弾力性を有する材料を選択することができる。
また、コーナー部２０は、本体部１０に積層されているので、衝撃が加えられた場合にも、その衝撃を本体部１０が吸収して、騒音発生を抑制できるように形成されている。
【００２０】
補強部材３０は、コーナー部２０を補強して、昇降時に加えられる力によって生ずるコーナー部２０の変形を抑制するための部材である。補強部材３０は、例えば、鋼材やステンレス等の板材をプレス加工することにより成形される。
補強部材３０は、強度を向上させるため断面形状がＬ字形に成形され、滑り止めマット１の手前側の側部１ａの一部及び底面１ｂの一部を覆うように配置される。補強部材３０がこのように配置されることにより、コーナー部２０は、本体部１０を介して側面及び底面から補強され、昇降時にコーナー部２０が鉛直方向及び奥行方向（水平方向）に変形して、たわむことが抑制される。
補強部材３０は、コーナー部２０に両面テープ等によって予め接着しておいてもよいし、滑り止めマット１を梯子４０に取り付けるときに、本体部１０及びコーナー部２０と一体で、ネジによって共締めして取り付けてもよい。
なお、滑り止めマット１を暗所で使用する場合には、補強部材３０の側面に、蓄光剤等を塗布した蓄光部３１を設けてもよい。
【００２１】
浮き上がり防止部材３５は、滑り止めマット１を段差部４２に取り付けた後に、本体部１０が段差部４２の上面４２ｂ（図４参照）から浮き上がらないようにするための部材である。浮き上がり防止部材３５は、例えば、鋼材やステンレス等の板材をプレス加工することにより成形される。浮き上がり防止部材３５は、本体部１０の奥行方向奥側（矢印Ｙ１方向）の後端部に設けられている。浮き上がり防止部材３５は、本体部１０の上面を押さえつけるようにして、段差部４２の上面４２ｂにねじ止めされる。
【００２２】
図３は、本実施形態の滑り止めマット１が施設された梯子４０の（図３（ａ））及び側面図（図３（ｂ））である。
図４は、本実施形態の滑り止めマット１が施設された梯子４０の一部を拡大した正面図（図４（ａ））及び側面図（図４（ｂ））である。なお、理解を容易にするために、側面図は、正面図よりも拡大して図示する。
図５は、本実施形態の梯子４０を利用者Ｕが降りるときのコーナー部２０付近の状態を説明する拡大図である。
【００２３】
図３に示すように、梯子４０（昇降具）は、傾斜角度θつまり傾斜方向Ａと鉛直方向（矢印Ｚ方向）とのなす角が、例えば２０〜３０°程度の急な傾斜を有し、上下端部が天井と床とに固定されている。梯子４０のように急な傾斜を有する梯子は、例えば、船舶の内部等の限られたスペース内で、各階を昇降するために使用される場合が多い。梯子４０は、左右に設けられた手摺４１と、複数の段差部４２とを備えており、各段差部４２に、滑り止めマット１が施設されている（図４参照）。なお、本実施形態では、昇降具の例として梯子を用いて説明するが、本発明でいう昇降具とは、滑り止めマット１が施設可能な段差部を備える道具や設備をいい、例えば、脚立や家屋等の階段等も、本発明の昇降具の概念に含まれる。
【００２４】
図４に示すように、滑り止めマット１は、補強部材３０の側部３０ａの両端近傍に設けられた固定穴３２ａ，３２ｂ（固定部）が、梯子４０の段差部４２の奥行方向手前側（縁側）の側面４２ａに対してネジ止めされる。また、滑り止めマット１は、浮き上がり防止部材３５の両端近傍の固定穴３６ａ，３６ｂ（図１参照）が、段差部４２の上面４２ｂにねじ止めされる。これによって、滑り止めマット１は、梯子４０に対して取り付けられる。固定穴３２ａ，３２ｂ，３６ａ，３６ｂは、予め設けていてもよいし、取り付け時に作業者が開けてもよい。
なお、固定穴３２ａ，３２ｂ間の距離が長いとき等には、取り付け強度を向上するために、補強部材３０の側部３０ａ（図１、図２参照）の中央付近に、必要に応じて別の固定穴を設けてもよい。
【００２５】
図３に示すように、梯子４０のように、急な傾斜の梯子を急いで降りる場合には、利用者Ｕは、両手Ｕ１，Ｕ２で手摺４１を掴んで体を支えながら、靴Ｕ３のかかとＵ４を、滑り止めマット１のコーナー部２０の中央付近１ｃに引っ掛けて、駆け降りるようにするのが好適である。このため、降りる場合に、コーナー部２０は、本体部１０よりも多用される。
このような降り方の場合、図５に示すように、靴Ｕ３のかかとＵ４によって、滑り止めマット１のコーナー部２０に対して、ほぼ下側への力Ｆが加えられる。このため、滑り止めマット１は、コーナー部２０が下側に変形しようとするが（矢印Ｚ３及び図１（ｂ）に示す２点鎖線参照）、補強部材３０によって底面１ｂが押さられているので、この変形が抑制される。また、補強部材３０によって底面１ｂが押さえられると、滑り止めマット１のコーナー部２０は、回転モーメントの作用によって、奥行方向手前側に変形しようとするが（矢印Ｙ３及び図１（ａ）に示す２点鎖線参照）、補強部材３０によって側部１ａの側面が押さえられているので、この変形が抑制される。なお、回転モーメントの作用によって、本体部１０は、段差部４２の上面４２ｂから浮き上がろうとするが、浮き上がり防止部材３５によって、この浮き上がりが防止される。
【００２６】
また、この場合において、滑り止めマット１は、補強部材３０の固定穴３２ａ，３２ｂが梯子４０の段差部４２に固定されているので、コーナー部２０及びその近傍は、両端支持のはりの中央部に力が加えられた形態になるが（図１（ｂ）参照）、補強部材３０の断面形状がＬ字形であり強度があるので、前述した矢印Ｙ３，Ｚ３方向への変形を効果的に抑制することができる。
さらにまた、補強部材３０は、端部３３がコーナー部２０に食い込むように曲げ加工されている。このため、コーナー部２０は、予め圧縮された状態で取り付けられ、変形が抑制され、その上、この端部３３が下側への力Ｆ１を受け止めるので、変形の抑制効果を向上することができる。
【００２７】
なお、段差部４２の奥行が短い場合（例えば２００ｍｍ程度）、利用者Ｕは、滑り止めマット１のコーナー部２０をつま先で踏むようにして昇るのが好適である。このように昇る場合にも、滑り止めマット１は、降りるときと同様に、変形を抑制することができる。
【００２８】
以上説明したように、本実施形態の滑り止めマット１は、昇降時におけるコーナー部２０の変形を抑制することができるので、安全性を向上し、また利用者に安心感を与えることができる。
また、本実施形態の滑り止めマット１は、昇降時に本体部１０、コーナー部２０に衝撃が加えられても、騒音発生を抑制することができる。
【００２９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３０】
（変形形態）
（１）本実施形態において、滑り止めマットは、予め設置された梯子に取り付けられる例を示したが、これに限定されない。例えば、滑り止めマットを予め梯子に取り付け、この梯子を利用者に提供してもよい。この場合、梯子の段差部を補強部材と同様な形状に加工しておけば、部品削減によるコスト削減をすることができる。また、滑り止めマット本体と補強部材とは、それぞれ単体で利用者に提供してもよい。
【００３１】
（２）本実施形態において、補強部材は、断面がＬ字形である例を示したが、これに限定されない。補強部材は、コーナー部の変形を抑制できる形状であればその形状は問わない。例えば、補強部材は、コーナー部の変形を抑制できる程度の肉厚を有する平板によって形成されてもよい。
【図面の簡単な説明】
【００３２】
【図１】本実施形態の滑り止めマットの平面図及び正面図である。
【図２】本実施形態の滑り止めマットの側面図である。
【図３】本実施形態の滑り止めマットが施設された梯子の正面図及び側面図である。
【図４】本実施形態の滑り止めマットが施設された梯子の一部を拡大した正面図及び側面図である。
【図５】本実施形態の梯子を利用者が降りるときのコーナー部付近の状態を説明する拡大図である。
【符号の説明】
【００３３】
１  滑り止めマット
１０  本体部
２０  コーナー部
２１  上部
２２  側部
３０  補強部材
３０ａ  側部
３２ａ，３２ｂ  固定穴
４０  梯子
４２  段差部
Ｕ３  靴
Ｕ４  かかと
【要約】
【課題】傾斜が急な段差部の滑り止めに適した滑り止めマット、マットの補強部材及び昇降具を提供する。
【解決手段】滑り止めマット１は、梯子４０の段差部４２に施設され、段差部４２の上面４２ｂを覆うように配置される本体部１０と、本体部１０の縁部１３に形成され、段差部４２の縁側の側面４２ａを覆うように配置されるコーナー部２０と、コーナー部２０を補強する補強部材３０とを備え、補強部材３０が、コーナー部２０を、側面及び底面から補強する。
【選択図】図５【図１】
0004221442.tif 000002
【図２】
0004221442.tif 000003
【図３】
0004221442.tif 000004
【図４】
0004221442.tif 000005
【図５】
0004221442.tif 000006